(57)【要約】【課題】  従来のトレイ式ＩＣＲＷでは、通信処理中の媒体が取り去られることによって処理が中断されるという不都合があった。【解決手段】  トレイ式ＩＣＲＷを実装するＩＣ対応装置において、トレイ部周囲に枠を設け、その枠の上面にロック機能付の蓋を設けることで、枠の内部に置いたＩＣ媒体を非接触ＩＣ処理中に取り去りできないＩＣＲＷとすることができる。また、タッチ部周囲の枠を杭状とすることで、杭の間から突起部やストラップを枠の外部へ出し、突起部やストラップによる非接触ＩＣ処理への影響、及び蓋の稼動部への影響を受けないＩＣＲＷとすることができる。【選択図】  図１
2009110130.tif 000002
【特許請求の範囲】
【請求項１】
媒体に搭載された非接触ＩＣに対してデータの読取り及び書き込みを行う非接触ＩＣリーダライタであって、
前記非接触ＩＣが搭載された媒体を載せるトレイと、
前記トレイ近傍に配置し前記非接触ＩＣと通信を行うアンテナと、
前記トレイにおいて載せられた媒体の周囲を囲う枠部と、
前記トレイの上部を覆う開閉可能な蓋と、
前記蓋が閉じた状態を維持する蓋ロック機構と、
前記非接触ＩＣとデータの送受信を行う制御部とからなることを特徴とする非接触ＩＣリーダライタ。
【請求項２】
請求項１に記載の非接触ＩＣリーダライタであって、
前記制御部は、前記媒体の非接触ＩＣと通信中に前記蓋が閉じた状態を維持することを特徴とする非接触ＩＣリーダライタ。
【請求項３】
請求項１または２に記載の非接触ＩＣリーダライタであって、
前記枠部は、前記トレイ上に設けた杭状の突起で形成されていることを特徴とする非接触ＩＣリーダライタ。
【発明の詳細な説明】
【技術分野】
【０００１】
本発明は非接触ＩＣ媒体に対してデータの読取り、及び書き込みを行う非接触ＩＣリーダライタ（ＩＣＲＷ）に関し、例えば、ＩＣ媒体に対してリードライトを行う駅などの窓口端末や、自動券売機、自動定期券発行機、ポイント還元端末などの非接触ＩＣ対応窓口端末及び非接触ＩＣ対応自動機等に係る。
【背景技術】
【０００２】
近年、ＩＣ技術の発達によりプロセッサ等のＩＣを内蔵したＩＣカードやＩＣモバイル端末が急速に普及しており、特に無線信号により非接触でＩＣへのリードライトが可能である非接触ＩＣ媒体が様々な媒体に組み込まれるようになってきた。また、そのような非接触ＩＣ媒体に対してデータの読取り及び書き込みを行う非接触ＩＣリーダライタについても、適用される場所や装置に応じて種々の形態のものが提案されている。
【０００３】
従来のトレイ式ＩＣＲＷは、ＩＣカード媒体やＩＣモバイル媒体（以下、ＩＣ媒体と称す）を固定するような機構及び制御はなく、トレイ式ＩＣＲＷのアンテナ部分近傍に設けたトレイ上部へＩＣ媒体を置いた状態で処理を行っている。
【０００４】
また、特開平１１−１５４２０４号公報（特許文献１）には蓋が取り付けられた非接触ＩＣリーダライタが記載されており、この非接触ＩＣリーダライタは、非接触のＩＣカードを置くためのテーブルと、該テーブルの下部の所定位置に送受信アンテナを隣接して配置し、前記テーブルとともに前記ＩＣカードの収納部を構成する透明な上カバーと、前記テーブルに設けられるＩＣカードの位置を確認するためのセンサーとを設け、前記センサーの検出結果に基づいて送受信アンテナからの送受信を起動させる制御を行なうものである。
【０００５】
【特許文献１】特開平１１−１５４２０４号公報
【発明の開示】
【発明が解決しようとする課題】
【０００６】
上記記載の従来の技術では、ＩＣ媒体はトレイ式ＩＣＲＷ上部に置かれているだけであり、ユーザはトレイ式ＩＣＲＷとＩＣ媒体の通信処理中にＩＣ媒体を取り去ることができる。このような場合、トレイ式ＩＣＲＷはＩＣ媒体にデータが正しく書き込まれたか否か判断ができない状況で処理が中断されるため、上位サーバで管理されているＩＣ媒体のエンコード情報と実際のＩＣ媒体のエンコード情報に不整合が生じる可能性がある。
【０００７】
また、特許文献１のように、上カバーを設けた構成であっても、装置がＩＣ媒体と非接触通信を実施している途中に、利用者が前記ＩＣ媒体を抜き取られた場合も同様に上記のような障害が発生する場合がある。
【０００８】
本発明が解決する課題の一つ目は、トレイ式ＩＣＲＷとＩＣ媒体の通信処理中にエンドユーザがＩＣ媒体を取り去ることができない様にすることにある。
【０００９】
二つ目は、ＩＣ媒体、特にＩＣモバイル媒体において、媒体のサイズ、突起部が様々であり、且つユーザによっては、首下げ型の長いストラップ、大きなストラップ、多数のストラップが取り付けられていることがあるので、突起部やストラップによる非接触ＩＣ処理への影響、及び蓋の稼動部への影響を受けないようにすることにある。
【課題を解決するための手段】
【００１０】
本発明は、トレイ式非接触ＩＣリーダライタ（以下、トレイ式ＩＣＲＷ）において、トレイ式ＩＣＲＷの非接触ＩＣアンテナ設置部の周囲に遮蔽壁を設け、その上部に蓋を設けることで、内部に置かれた非接触ＩＣ媒体（非接触ＩＣカード媒体（以下、ＩＣカード媒体）、非接触ＩＣチップを搭載した携帯電話等（以下、ＩＣモバイル媒体）他）を取り去りできないようにすることが可能となるように構成した。
【００１１】
上記のように構成したことで、トレイ式ＩＣＲＷを実装するＩＣ対応装置において、トレイ式ＩＣＲＷのトレイ部周囲に枠を設け、その枠の上面にロック機能付の蓋を設けることで、枠の内部に置いたＩＣ媒体を非接触ＩＣ処理中に取り去ることができないＩＣＲＷとすることができる。また、トレイ部周囲の枠を杭状とすることで、杭の間から突起部やストラップを枠の外部へ出し、突起部やストラップによる非接触ＩＣ処理への影響、及び蓋の稼動部への影響を受けないＩＣＲＷとすることができる。
【発明の効果】
【００１２】
ＩＣ媒体に対してリードライトを行うＩＣ対応装置、特にＩＣモバイル媒体の処理が必要な装置において、籠型ＩＣＲＷを設けることで、従来、上位管理サーバとＩＣ媒体とでエンコードの不整合が発生する要因となっていた非接触ＩＣ処理中のＩＣ媒体の取り去りを防止する蓋付籠型非接触ＩＣリーダライタを提供する事が出来る。
【発明を実施するための最良の形態】
【００１３】
以下、本発明の一実施形態を説明する。本実施形態は、デパートや駅構内に設置された非接触ＩＣ対応窓口端末及び非接触ＩＣ対応自動機に採用される例えばトレイ式非接触ＩＣリーダライタに関する。
【実施例１】
【００１４】
先ず、図１は本発明の実施形態に関わる蓋付籠型非接触ＩＣリーダライタ１０の構成図である。図１を用いて、蓋付籠型非接触ＩＣリーダライタ１０（以下、ICリーダライタ１０）の概略構造を説明する。
【００１５】
ＩＣリーダライタ１０は携帯端末等、非接触でＩＣ内に記憶された情報を取引端末に対して、前記情報を送信或いは前記取引端末から情報を受信する装置である。ＩＣリーダライタ１０の構成としては、携帯端末などのＩＣモバイル媒体８を搭載するためのトレイ部２、さらに、前記トレイ部２にＩＣモバイル媒体８を搭載した後に、トレイ部２を覆うの蓋部３とからなる。
【００１６】
前記蓋部３には、一軸を中心として反対側に棒状の蓋突起部３’が設けられ、前記蓋のロック機構部７と連結されている。また、蓋部３は前記一軸を中心として回転することで、トレイ部２上面で開閉出来るように構成されており、トレイ部２を覆った状態を維持するための蓋のロック機構部７が設けられている。トレイ部２の側面には杭状枠部４が設けられ、前記ＩＣモバイル媒体８をトレイ部２に搭載した場合に位置ずれ或いはトレイ部２から外れない様に構成されている。
【００１７】
トレイ部２の下部には、前記トレイ部２に搭載されたＩＣモバイル媒体８と非接触通信を行なうために、ＩＣリーダライタアンテナ５が設けられており、前記ＩＣリーダライタアンテナ５を介して、ＩＣモバイル媒体８から情報を受信し、或いはＩＣモバイル媒体８へ情報を送信出来るように構成されている。さらに、前記ＩＣリーダライタアンテナ５を介して媒体の非接触ＩＣとデータの送受信を行うと共に、上記説明した各処理部及び当該各処理部を制御する制御部１から構成されている。
【００１８】
次に、図２を用いて、蓋部３の開閉検知部の構成及びロック機構部の構造を説明する。図２は本発明の実施形態に関わる蓋部３に設けた蓋の開閉検知部及び蓋のロック機構部のブロック図である。蓋ロック機構の構成としては、蓋の開閉を検知する蓋の開閉検知部６、蓋が閉じられた状態を維持するための蓋のロック機構部７、さらには蓋のロック機構部７片端に設けた蓋のロック用ピン７から構成されている。
【００１９】
図２−（ａ）は蓋部３が開いている状態の構成図を示している。この状態においては、蓋部３の回転軸を対象に設けた蓋の突起部３’が蓋の開閉検知部６の検知エリア外に位置しているため、ロック機構が働かずに、開放されている。
【００２０】
一方、図２−（ｂ）は蓋部３が閉じている状態の構成図を示しており、前記蓋の突起部３’が蓋の開閉検知部６の検知エリア内に位置しており、蓋のロック機構部７片端に設けた蓋のロック用ピン７を伸ばすことによって、前記蓋の突起部３’が回転出来ないようにロックする事が可能となっている。すなわち、前記蓋のロック用ピン７を制御することで、蓋部３を閉じた状態でロックさせたり、或いは開放させたりすることが可能である。
【００２１】
次に、図３において、取扱フローにおける蓋のロック機構の制御について説明を行なう。図３は本発明の実施形態に関わる蓋部３のロック機構の制御フロー図である。
【００２２】
まず、端末側は利用者に対して、非接触ＩＣ処理を行う為に、トレイ部２上面に個人が所有するＩＣモバイル媒体８を置くように指示する（Ｓ３０１）。その際、トレイ部２の側面に設けた杭状枠部４の欠損部から例えば、アンテナ或いは携帯ストラップ等のＩＣモバイル媒体の突起部を杭状の枠４から外部へ出し、蓋部３が閉じる事ができる状態とする。
【００２３】
次に、利用者が端末の案内に従ってＩＣモバイル媒体８をトレイ部２上面に設置し、蓋部３を閉じられると、蓋部３が閉じられると、回転軸と対象側に設けた蓋の突起部３’が蓋の開閉検知部６の検知エリアに入ることにより、蓋の開閉検知部６が蓋が閉じたことを検知する（Ｓ３０２）。そして、前記蓋の開閉検知部６で蓋部３が閉じられた事を制御部１へ通知される。
【００２４】
制御部１はＩＣリーダライタアンテナ５を制御してＩＣモバイル媒体７が前記トレイ部２に正しく設置されているかどうかを或いは設置の有無を確認する（Ｓ３０４）。この時、正しく設置されていない或いは設置を確認出来なかった場合は利用者へその旨を案内し、正しく置くように促す（Ｓ３０３）。ＩＣモバイル媒体８が正しく設置された事を確認した後、次に、蓋の開閉検知部６が蓋突起部３’を検知していることを確認し、蓋部３が正しく閉じられていることを確認する（Ｓ３０６）。
【００２５】
この時、蓋部３が閉じられていなかった場合は利用者へ蓋部３を閉じるように案内する（Ｓ３０５）。蓋部３が正しく閉じられていることを確認した後、制御部１は蓋のロック機構部７にロック実行を指示する。指示された蓋のロック機構部７は蓋のロック用ピン７’を蓋の突起部３’の下へ伸ばし、蓋部３を閉じた状態で固定させる（Ｓ３０７）。
【００２６】
蓋部３をロックした後、制御部１はＩＣリーダライタアンテナ４を制御して設置されたＩＣモバイル媒体８と非接触ＩＣ通信処理を行う（Ｓ３０８）。次に、制御部１はＩＣリーダライタアンテナ５より通信処理完了の通知を受信したら、蓋のロック機構部７にロック解除を指示する。
【００２７】
指示を受けた蓋のロック機構部７は蓋のロック用ピン７’を縮めることで、蓋部３を開けられるように開放する（Ｓ３１０）。次に非接触ＩＣ通信処理が完了し、設置されたＩＣモバイル媒体８をトレイ部２から取り除くことを利用者に案内する。端末は利用者がＩＣモバイル媒体８をトレイ部２から取り除かれたことを検知（Ｓ３１１）し、非接触ＩＣ処理が完了となる。
【００２８】
これにより非接触ＩＣ通信が終り、蓋のロック機構部７を解除するまでは、ＩＣモバイル媒体８を取り去りできない様にする事ができる。
【００２９】
以上に述べたように、本発明によれば、ＩＣ媒体に対してリードライトを行うＩＣ対応装置、特にＩＣモバイル媒体の処理が必要な装置において、籠型ＩＣＲＷを設けることで、従来、上位管理サーバとＩＣ媒体とでエンコードの不整合が発生する要因となっていた非接触ＩＣ処理中のＩＣ媒体の取り去りを防止することができる。
【００３０】
また、ＩＣモバイル媒体のストラップをリード部の外部へ出すことができ、ＩＣモバイル媒体のストラップによる非接触ＩＣ処理への影響を防止することができる。
【００３１】
本実施例では、非接触ＩＣ対応窓口端末及び非接触ＩＣ対応自動機に採用される非接触ＩＣ対応自動機として、蓋付籠型非接触ＩＣリーダライタを設けた取引端末を一実施例として説明を行なったが、これに限定されることはなく、非接触ＩＣ媒体と非接触通信を行なって、双方が保有する情報をリードライト処理する非接触ＩＣ対応自動機全般に応用する事が可能である。
【図面の簡単な説明】
【００３２】
【図１】ＩＣリーダライタの構成図
【図２】本実施例における蓋のロック機構
【図３】蓋のロック機構の制御フロー図
【符号の説明】
【００３３】
１：同装置の制御部
２：同装置のトレイ部
３：同装置の蓋部
４：同装置の杭状枠部
５：同装置のＩＣリーダライタアンテナ
６：同装置の蓋の閉検知部
７：同装置の蓋のロック機構部
８：ＩＣモバイル媒体
９：同媒体の突起部
１０：ＩＣリーダライタ
【図１】
2009110130.tif 000003
【図２】
2009110130.tif 000004
【図３】
2009110130.tif 000005